(57)【特許請求の範囲】
【請求項１】
原稿画像を読み取る読取部と、原稿の向き情報、及び記録紙の綴じ方向に応じて記録紙の表面と裏面とで印刷方向を同じ方向にするか異なる方向にするかの仕上がり具合を設定する操作部と、該操作部での操作指示や動作状況を表示する表示部と、記録紙に画像を形成する画像形成部と、前記操作部からの操作入力に応じて前記画像形成部および表示部を制御する制御部とを備え、
前記制御部は、２枚の片面原稿であって、２枚のバラバラの枚葉紙からなる原稿で、それぞれの片面に印刷された原稿を読み込み、その画像データを記録紙の表裏に両面印刷する場合、前記表示部に、記録紙の綴じ方向に応じた仕上がり具合をユーザーに選択させる選択画面を表示し、さらに前記１枚目の片面原稿を読込むときと、２枚目の片面原稿を読み込むときとで、それぞれ別の表示画面に切り替え、各表示画面において、前記選択画面で選択された記録紙の仕上がり具合に応じて、前記表示部に原稿のセット方向を示すイメージと、原稿のセット方向が１枚目と２枚目とで異なるか否かを示すメッセージとを表示させることを特徴とする画像処理装置。
【請求項２】
前記イメージおよびメッセージは、アイコン表示であることを特徴とする請求項１に記載の画像処理装置。
【請求項３】
前記制御部は、２枚のたて原稿を記録紙の表裏に同じ方向を上側にして印刷する場合、表示部に、２枚のたて原稿の上側を同じ方向にセットするように表示させることを特徴とする請求項１に記載の画像処理装置。
【請求項４】
前記制御部は、たて原稿を標準モードとして設定する場合と、よこ原稿を標準モードとして設定する場合とで前記表示部による表示内容を異ならせることを特徴とする請求項１に記載の画像処理装置。
【発明の詳細な説明】
【技術分野】
【０００１】
本発明は、特に、片面原稿から両面複写する場合に原稿や記録紙のセット方向を理解することができる画像処理装置に関するものである。
【背景技術】
【０００２】
画像処理装置は、原稿と記録紙のセット方向とが、それぞれ横置きと縦置きの２種類があるため、全ての要求に対応することはできない。そのため、従来の画像処理装置では、画像を回転させることで、少なくとも方向に関係することなく印刷物が得られるように対応してきている。
【０００３】
しかし、画像回転の有無や方向に関しては、特に片面原稿から両面複写する場合、原稿内の情報がどの向きで記載されているか、即ち、縦長用紙への横書き原稿（ポートレート原稿）あるいは横長用紙への横書き原稿（ランドスケープ原稿）が厳密に分からないと、ユーザが望む回転結果を得ることは困難であった。
【０００４】
そこで、片面原稿を用いて両面印刷を行う際に、ユーザによりセットされた原稿の向き、及び、入力された綴じる方向に基づいて、入力された原稿画像を回転させる技術内容が提案されている（特許文献１参照）。
【特許文献１】特開平０７−１３１６０号公報
【発明の開示】
【発明が解決しようとする課題】
【０００５】
特許文献１に開示された画像処理方法では、セットされた原稿の向きに応じて原稿画像を回転させるのだが、一般的なユーザにとっては、原稿のセットする向きを、１枚目と２枚目でどのようにセットすれば良いのか、良く分からないという問題があった。
【０００６】
また、近年、事務用の複合機をコンビニエンスストア（以下、「コンビニ」と略称する）向けに用いているが、コンビニに設置されている複合機は、コンビニ業界の取り決めから、事務機用とは異なり、縦原稿の場合でも横方向にセットするのが基準となっているため、普段、事務機に慣れ親しんだユーザにとっては、更に、原稿のセットする向きをどのようにセットすれば良いのか分かりにくくなっていた。
【０００７】
本発明は、上記に鑑み、ユーザが感覚的に原稿のセット方向を理解し易くした画像処理装置の提供を目的としている。
【課題を解決するための手段】
【０００８】
上記目的を達成するため、本発明に係る画像処理装置では、原稿画像を読み取る読取部と、原稿の向き情報、及び記録紙の綴じ方向に応じて記録紙の表面と裏面とで印刷方向を同じ方向にするか異なる方向にするかの仕上がり具合を設定する操作部と、該操作部での操作指示や動作状況を表示する表示部と、記録紙に画像を形成する画像形成部と、前記操作部からの操作入力に応じて前記画像形成部および表示部を制御する制御部とを備え、前記制御部は、２枚の片面原稿であって、２枚のバラバラの枚葉紙からなる原稿で、それぞれの片面に印刷された原稿を読み込み、その画像データを記録紙の表裏に両面印刷する場合、前記表示部に、記録紙の綴じ方向に応じた仕上がり具合をユーザーに選択させる選択画面を表示し、さらに前記１枚目の片面原稿を読込むときと、２枚目の片面原稿を読み込むときとで、それぞれ別の表示画面に切り替え、各表示画面において、前記選択画面で選択された記録紙の仕上がり具合に応じて、前記表示部に原稿のセット方向を示すイメージと、原稿のセット方向が１枚目と２枚目とで異なるか否かを示すメッセージとを表示させることを特徴とする。
【０００９】
上記構成によると、ユーザが２枚の片面原稿を原稿台にセットする毎に、表示部に“原稿のセット方向を示すイメージ”と、“原稿のセット方向が、１枚目と２枚目とで異なるか否か示すメッセージ”を表示させるので、ユーザが感覚的に原稿のセット方向を理解することができる。
【００１０】
ここで、表示部に表示する態様は、文字情報あるいは図形が挙げられる。特に、表示をアイコンで表示すると、ユーザが感覚的に原稿のセット方向を理解し易くなる。アイコンとは、コンピュータに与える指示・命令をわかりやすく記号化した図形であり、アイコン表示により視覚的に認識し易くなる。
【００１１】
また、操作部において、２枚のたて原稿をたて綴じするように設定操作した場合、制御部では、表示部に、２枚のたて原稿の上側を同じ方向（横方向）にセットするように表示させる。
【００１２】
これにより、２枚のたて原稿を記録紙の表裏に印刷する際に、たて綴じ（記録紙の表裏に同じ方向を上側にして印刷にする）するように設定された場合は、原稿の置き方を同一方向に合わせるので、ユーザが感覚的に原稿のセット方向を理解することができる。
【００１３】
特に、コンビニに設置されている画像処理装置は、Ａ４たての原稿を横にセットするのが基準となっており、そのような画像処理装置において表示部に表示すれば効果的である。
【００１４】
また、操作部において、２枚のたて原稿を記録紙の表裏に同じ方向を上側にして印刷にするように設定操作した場合、制御部では、表示部に、２枚のたて原稿の上側を同じ方向（横方向）にセットするように表示させる。
【００１５】
これにより、２枚のたて原稿を記録紙の表裏に印刷する際に、記録紙の表裏に同じ方向を上側にして印刷する設定された場合は、原稿の置き方向についても、２枚の原稿を同一方向にセットするように表示することで、ユーザが感覚的に原稿のセット方向を理解することが可能となる。特に、コンビニに設置されている複合機では、Ａ４たての原稿を横にセットするのが基準となっており、そのような装置に効果的である。
【００１６】
さらに、制御部では、たて原稿を標準モードとして設定する場合と、よこ原稿を標準モードとして設定する場合とで、前記表示部による表示内容を異ならせることを特徴とする。
【００１７】
上記構成によると、コンビニに設置されている画像処理装置は、Ａ４原稿を横にセットするのが業界の基準となっており、Ａ４原稿を縦置きさせないようにしているため、事務機用とコンビニ用を表示するモードを切り替えることにより、より効果的な表示を行うことができる。
【発明の効果】
【００１８】
以上のとおり、ユーザが２枚の片面原稿を原稿台にセットする毎に、表示部に“原稿のセット方向を示すイメージ”と、“原稿のセット方向が、１枚目と２枚目とで異なるか否か示すメッセージ”を表示させるので、ユーザが感覚的に原稿のセット方向を理解することができる。
【発明を実施するための最良の形態】
【００１９】
以下、本発明を実施するための最良の形態について図面を参照して説明する。図１は発明を実施する形態の一例であって、本発明の実施形態に係る画像処理装置の全体の構成図である。
【００２０】
本画像処理装置は、コピーモード、プリントモード、スキャナモードおよびファクシミリモードを実行する複合機であり、キャビネット１に、原稿を読み取って画像データを入力する画像読取部２と、画像データを処理して印刷する画像形成部３と、入力操作のための操作部ユニット４と、操作部ユニット４の表示部６１や前記画像形成部３を制御して、モードに応じた画像データの処理を実行する制御部７とを備えている。
【００２１】
画像読取部２は、キャビネット１の上方に配置されたスキャナ部１０と、該スキャナ部１０の上方に配置されたプラテンガラスからなる原稿台１２と、該原稿台１２を覆う開閉自在な原稿カバー１３とを備え、必要に応じて原稿自動搬送装置が設けられる。
【００２２】
スキャナ部１０は、読取部２１を備え、原稿台１２の一側に、読取領域が形成され、原稿が原稿台１２に載置されるとき、読取部２１の走査ユニット２３が位置して、原稿の表面（下側面）が読み取られる。走査ユニット２３は読取位置に移動して位置決めされ、走査ユニット２３の露光ランプにより、原稿の表面が原稿台１２の下方から照射される。原稿からの反射光は、走査ユニット２３の各反射ミラーにより結像レンズ２５に導かれる。原稿の反射光は、結像レンズ２５によりＣＣＤ２６に集光される。原稿の表面の画像がＣＣＤ２６上に結像される。これにより、原稿の表面の画像が読み取られる。
【００２３】
原稿の片面の画像が読み取られると、その画像データが制御部７に入力される。制御部７は、画像処理部を有しており、画像処理部により、画像データに各種の画像処理を施こし、その画像データが画像形成部３に出力される。
【００２４】
画像形成部３は、入力された画像データに基づいて、記録シートにカラー画像あるいは白黒画像を印刷する。
【００２５】
画像形成部３は、レーザスキャンユニット３０、４つの画像ステーション３１、中間転写ベルトユニット３２、定着装置３３、および搬送装置３４を備えている。
【００２６】
各画像ステーション３１は、ブラック、シアン、マゼンタ、イエローの各色に応じたカラー画像をそれぞれ形成する。各画像ステーション３１は、感光体ドラム３５、現像装置３６、帯電装置３７、クリーニング装置３８、除電装置（図示せず）を備えている。
【００２７】
感光体ドラム３５は、一方向に回転駆動され、クリーニング装置３８は、感光体ドラム３５の表面の残留トナーをクリーニングし、除電装置は、感光体ドラム３５の表面を除電する。帯電装置３７は、感光体ドラム３５の表面を均一に帯電する。
【００２８】
レーザスキャンユニット３０では、画像読取部等から入力された画像データに基づいてレーザ光を変調し、このレーザ光によって感光体ドラム３５の表面を主走査方向に繰り返し走査して、静電潜像を感光体ドラム３５の表面に形成する。
【００２９】
現像装置３６は、トナーを感光体ドラム３５の表面に供給して、静電潜像を現像し、トナー像を感光体ドラム３５の表面に形成する。
【００３０】
中間転写ベルトユニット３２は、中間転写ベルト４０、中間転写ローラ４１、転写ベルトクリーニング装置４２、およびテンション機構４３を備えている。中間転写ベルト４１は、各感光体ドラム３５の上方に配置され、駆動ローラ４４および従動ローラ４５に掛け巻きされて、矢印Ｂの方向に回転する。
【００３１】
中間転写ローラ４１は、中間転写ベルト４０を挟んで感光体ドラム３５に対向して配置され、転写バイアス電圧が印加されている。トナーと逆極性の電圧が中間転写ローラ４１により印加されることにより、感光体ドラム３５の表面のトナー像が中間転写ベルト４０に転写される。各色のトナー像が中間転写ベルト４０に積層され、合成された多色のトナー像が形成される。
【００３２】
転写ローラ４１は中間転写ベルト４０に圧接されて配置され、トナーとは逆極性の電圧が印加されている。中間転写ベルト４０上のトナー像は、転写ローラ４６と中間転写ベルト４０との間に搬送された記録シートに、転写ローラ４６によって転写される。転写ベルトクリーニング装置４２により、中間転写ベルト４０に残存しているトナーが除去される。
【００３３】
記録シートに転写されたトナー像は、定着装置３３により加熱および加圧されて、記録シート上に定着され、画像が記録シートに形成される。このようにして画像が印刷された記録シートは、キャビネット１の上部に設けられた排出トレイ５０に排出される。
【００３４】
搬送装置３４は、シートカセット５１あるいは手差トレイ５２から記録シートを搬送路５３に沿って搬送する。搬送路５３は、中間転写ベルト４０と転写ローラ４６との間、定着装置３３を通り、排出トレイ５０に至る。
【００３５】
搬送装置３４は、ピックアップローラ５４、搬送ローラ５５、レジストローラ５６、および排出ローラ５７を備えている。シートカセット５１あるいは手差トレイ５２の記録シートは、１枚ずつ搬送路５３に送り出され、搬送路５３を搬送されて、排出トレイ５０に排出される。この記録シートの搬送中に、画像が記録シートに印刷される。
【００３６】
また、両面印刷のために、スイッチバック搬送路５８が設けられている。定着後の記録シートは、搬送ローラ５５によりスイッチバック搬送路５８を通り、中間転写ベルト４０と転写ローラ４６との間に搬送される。両面印刷された記録シートは、定着装置３３を通り、排出トレイ５０に排出される。
【００３７】
操作部ユニット４は、スキャナ部１０に設けられ、操作部６０および表示部６１を有する。操作部６０は、各種の操作キーを備え、原稿の向き情報、及び記録紙の綴じ方向を設定する。表示部６１は、操作部での操作指示や動作状況を表示する液晶ディスプレイからなり、タッチパネルとされる。表示部６１に表示される操作画面内にタッチキーが形成され、これらも操作キーとして機能する。
【００３８】
また、本実施形態の画像処理装置では、通信インターフェースを有する通信部が設けられ、通信インターフェースがＬＡＮ、ＷＡＮといったネットワークに接続することができる。ネットワークには、複数の外部装置（図示略）が接続されている。外部装置としては、他の画像処理装置、パーソナルコンピュータ等の情報処理装置、サーバとされる。ネットワークは、ルータから電話回線や光ファイバ等の通信回線を介してインターネットに接続される。
【００３９】
制御部７は、ＣＰＵ、ＲＯＭ、ＲＡＭを有するマイクロコンピュータからなり、ＣＰＵは、ＲＯＭに格納されている制御プログラムをＲＡＭ１８に読み出して、制御プログラムを実行する。制御プログラムにしたがって各部が動作する。画像読取部２や通信部といった入力部から画像データの入力があると、操作部６０からの入力情報や外部装置から入力された画像データのヘッダ情報に含まれる処理条件に基づいて、プリントモード、コピーモード、スキャナモード、ファクシミリモードのいずれかのモードが実行される。また、プリントモード、コピーモードにおいては、排出処理モードとして、片面印字モードおよび両面印字モードが設定される。片面印字モードにおいて、排出処理として印字面を上方に向けて排出されるフェースアップ排出、および、印字面を下方に向けて排出されるフェースダウン排出が設定される。
【００４０】
制御部７は、メイン制御部１１を備えている。メイン制御部１１は、操作部ユニット４内の制御部であり、シーケンス制御部１５、スキャナ制御部１６及びメモリ制御部１７間の同期や動作指示を実行する。メイン制御部１１において、操作部６０のキー入力や表示部６１の液晶タッチパネルによる操作及び表示を制御する。シーケンス制御部１５は、印刷のプロセス制御や記録紙搬送制御を行う。メモリ制御部１７は、スキャナにより読取られた画像をＲＡＭ１８に格納し、また、読み出して出力する。また、メモリ制御部１７は、ＲＡＭ１８に対する読み出しアドレスの主走査方向と副走査方向を制御することで、画像を９０度、１８０度、２７０度の角度で回転して読み出すことができる。
【００４１】
また、制御部７では、操作部６０からのキー操作により、たて原稿を標準モードとして設定する場合と、よこ原稿を標準モードとして設定する場合とに切り替えることができる。そして、表示部６１では、たて原稿を標準モードとする場合の表示内容と、よこ原稿を標準モードとする場合の表示部による表示内容を異ならせる。すなわち、コンビニに設置されている画像処理装置は、Ａ４原稿を横にセットするのが業界の基準となっており、Ａ４原稿を縦置きさせないようにするため、事務機用の画像処理装置において、事務機用表示モードとコンビニ用表示モードとを切り替え自在とする。その具体例を図３に示す。
【００４２】
図３（ａ）（ｂ）は片面原稿−両面印刷モードにおける、原稿の向き（左欄）と、希望の仕上がり(中欄)、原稿の置き方（右欄）を示す模式図で、同図（a）に事務用の複合機（事務機モデル）の場合を示し、同図（ｂ）に同図（a）の事務機用の複合機をコンビニに設置されている複合機に適用した場合の模式図を示す。
【００４３】
ここでの注目点は、図３の（ａ）と（ｂ）とでは原稿の置き方を切替えている点である。なぜ、図３の（ａ）と（ｂ）とで原稿の置き方を切り替える必要があるかというと、その理由は以下のとおりである。事務用の複合機は、Ａ４縦で原稿をセットするのが標準であり、基本的な仕様は、これをベースにつくられているため、例えば、図３（ａ）の一番上段の模式図を例にとると、希望の仕上がり（中欄参照）として印刷物の表と裏を“同じ方向”にしたい場合でも、実際に原稿を横方向にセットする場合は、右欄に示すとおり、１枚目の原稿は上側を左、２枚目の原稿は上側を右と“逆方向”にセットする必要があり、ユーザが感覚的に非常に理解するのが難しい。
【００４４】
しかしながら、コンビニに設置されている複合機は、Ａ４原稿を横にセットするのが標準となっているため、上記図３（ａ）に示すような方法を用いていると、ユーザが非常に使いにくい。
【００４５】
そこで、本発明では、コンビニに設置する場合は、図３（ｂ）の一番上段の模式図に示すように、原稿画像の回転制御を切り替えることで、希望の仕上がり（“同じ方向”）と、原稿の置き方（“一枚目と二枚目を同じ方向に置く”）を同一にしている。
【００４６】
図４および図５は、図３（ｂ）に示すコンビニ向け複合機を用いて片面原稿を両面印刷する際に、ユーザが入力指示により切り替わっていく表示画面の流れを示している。図４において、Ｓ１は、表示部６１の初期画面を示し、ここでは、ユーザがカラーモードを選択している。Ｓ２は、表示部６１においてユーザが記録紙（用紙）を選択した状態（Ａ４を選択している）を示している。Ｓ３は、ユーザが両面印刷を選択した状態を示している。Ｓ４は、ユーザが原稿のタイプ（たて原稿・よこ原稿）を入力する選択画面であり、たて原稿の場合はＳ５へ、よこ原稿の場合はＳ６へ進む。
【００４７】
ここでは、たて原稿が選択された場合（Ｓ４→Ｓ５）について更に説明する。Ｓ５は、ユーザの希望する仕上がりとして綴じ方向、つまりそれにより、印刷物の表面と裏面を同じ方向するか、異なる方向にするかを選択する画面である。
【００４８】
ここで、「同じ方向」にすると選択した場合、Ｓ７の１枚目の原稿を原稿台にセットする方向を示すアイコン７１を表示させる。Ｓ７で表示させるアイコン７１は、表示画面の右下に表示される原稿台のイメージ図７２と対応しており、“原稿の向きを示すイメージ７１と、１枚目の原稿であることを示すメッセージ７２”を表示させており、ユーザが感覚的に原稿のセット方向を理解できるようになっている。
【００４９】
ユーザがメッセージに従いスタートキーを押して、１枚目の原稿を読み取らせると、次に、図５のＳ８に示す、表示部６１に２枚目の原稿のセット方法を示す表示画面が表示させる。Ｓ８の２枚目の原稿のセット方法を示す表示画面では、前述の図４のＳ７のアイコンと類似のアイコン７３を表示させるが、ここでの違いとして、メッセージの内容として“２枚目の原稿である”点と、“１枚目の原稿と同じ方向にセットすればよい”点が、表示画面で表示させている。これにより、ユーザが感覚的に原稿のセット方向を理解できるようになっている。
【００５０】
ユーザがメッセージに従いスタートキーを押して、２枚目の原稿を読み取らせると、Ｓ９のコピー中であることを示す表示画面に切り替わり、コピーの排紙方向を表示する。
【００５１】
図６は図４のＳ４及びＳ５でユーザが選択しなかった図３（ｂ）の残りのパターンも含めた表示画面を示している。図中（ａ）は１枚目がたて原稿で、（ｂ）は２枚目がたて原稿でよことじ（同じ方向）を選択した場合、（ｃ）は２枚目がたて原稿でたてとじ（異なる方向）を選択した場合を示す。また、図中（ｄ）は１枚目がよこ原稿で、（ｅ）は２枚目がよことじ（同じ方向）を選択した場合、（ｆ）は２枚目がたてとじ（異なる方向）を選択した場合を示す。いずれのガイド表示においてもユーザが感覚的に原稿のセット方向を理解できるようになっている。
【００５２】
なお、本発明は、上記実施形態に限定されるものではなく、本発明の範囲内で多くの修正変更を加えることができのは勿論である。
【図面の簡単な説明】
【００５３】
【図１】本発明の実施形態である画像処理装置の全体の構成図
【図２】画像処理装置の制御ブロック図
【図３】（ａ）（ｂ）は片面原稿−両面印刷モードにおける原稿の向きと希望の仕上がり及び原稿の置き方を示す模式図
【図４】画像処理装置の操作部の表示画面の流れを示す図
【図５】図４に続く、画像処理装置の操作部の表示画面の流れを示す図
【図６】（ａ）〜（ｆ）はコピースタート画面でのガイド表示例を示す図
【符号の説明】
【００５４】
１    キャビネット
２    画像読取部
３    画像形成部
４    操作部ユニット
７    制御部
１０    スキャナ部
１１    メイン制御部
１２    原稿台
１３    原稿カバー
１５    シーケンス制御部
１６    スキャナ制御部
１７    メモリ制御部
１８    ＲＡＭ
２１    読取部
６０    操作部
６１    表示部
【図１】
0004782735.tif 000002
【図２】
0004782735.tif 000003
【図３】
0004782735.tif 000004
【図４】
0004782735.tif 000005
【図５】
0004782735.tif 000006
【図６】
0004782735.tif 000007